(57)【特許請求の範囲】
【請求項１】
受信部が、共通地図を描画するためのラスタ形式の共通地図データと、前記共通地図上に配置される図形を描画するためのベクタ形式の図形データとを有する複数のデータセットを受け取ることと、
演算部が、前記図形データそれぞれを用いて作成した複数の図形を、前記共通地図データを用いて作成された前記共通地図の縮尺が変更された共通地図と同一の縮尺になるように変更し、前記縮尺が変更された複数の図形を、前記図形が前記共通地図上に配置される相対的な位置を維持するように、前記縮尺が変更された共通地図上に配置することと、
記憶部が、前記縮尺が変更された共通地図の地図データと、前記縮尺が変更された複数の図形の図形データと、前記縮尺が変更された複数の図形の前記縮尺が変更された共通地図に対する相対的な位置を表す位置データとを記憶することと、
前記演算部は、指定された２点に基づいて共通地図の左上端、及び右下端、又は左下端、及び右上端を配置するように、前記共通地図データを用いて前記縮尺が変更された共通地図を作成し、かつ前記縮尺が変更された共通地図を作成するために用いた原点と同一の原点を用いて、前記図形データそれぞれから、前記縮尺が変更された複数の図形を作成することと、
を特徴とする地図作成方法。
【請求項２】
前記演算部が、前記共通地図データをアフィン変換して、前記縮尺が変更された共通地図を作成し、前記図形データをそれぞれアフィン変換して、前記縮尺が変更された複数の図形を作成する請求項１に記載の地図作成方法。
【請求項３】
前記データセットは、前記図形の色、及びパターンを示す属性をさらに有し、前記演算部は、前記図形の色、及びパターンを示す前記属性が図形ごとに相違するように、前記縮尺を変更した複数の図形を作成する請求項１、又は請求項２に記載の地図作成方法。
【請求項４】
前記属性は、それぞれの前記データセットを示す識別子をさらに有し、前記識別子に基づいて、前記縮尺を変更した図形を作成する請求項３に記載の地図作成方法。
【請求項５】
前記演算部が、前記図形の形状が面である場合に、前記縮尺を変更した複数の図形とともに、前記縮尺を変更した図形の重心に前記識別子が有する情報を表示装置に表示させることをさらに含む請求項４に記載の地図作成方法。
【請求項６】
前記演算部が、前記縮尺が変更された共通地図、及び前記縮尺が変更された図形とともに前記属性を表示装置に表示させることをさらに含む請求項３、又は請求項４のいずれか一項に記載の地図作成方法。
【請求項７】
共通地図を描画するためのラスタ形式の共通地図データと、前記共通地図上に配置される図形を描画するためのベクタ形式の図形データとを有する複数のデータセットを受け取ることと、
前記図形データそれぞれを用いて作成した複数の図形を、前記共通地図データを用いて作成された前記共通地図の縮尺が変更された共通地図と同一の縮尺になるように変更し、前記縮尺が変更された複数の図形を、前記図形が前記共通地図上に配置される相対的な位置を維持するように、前記縮尺が変更された共通地図上に配置することであって、前記縮尺が変更された共通地図は、指定された２点に基づいて左上端、及び右下端、又は左下端、及び右上端を配置するように、前記共通地図データを用いて作成され、前記縮尺が変更された共通地図を作成するために用いた原点と同一の原点を用いて、前記図形データそれぞれから、前記縮尺が変更された複数の図形を作成することと、
前記縮尺が変更された共通地図の地図データと、前記縮尺が変更された複数の図形の図形データと、前記縮尺が変更された複数の図形の前記縮尺が変更された共通地図に対する相対的な位置を表す位置データとを記憶することと、
をコンピュータに実行させることを特徴とする地図作成プログラム。
【請求項８】
共通地図を描画するためのラスタ形式の共通地図データと、前記共通地図上に配置される図形を描画するためのベクタ形式の図形データとを有する複数のデータセットを受け取る受信部と、
前記図形データそれぞれを用いて作成した複数の図形を、前記共通地図データを用いて作成された前記共通地図の縮尺が変更された共通地図と同一の縮尺になるように変更し、前記縮尺が変更された複数の図形を、前記図形が前記共通地図上に配置される相対的な位置を維持するように、前記縮尺が変更された共通地図上に配置する演算部であって、指定された２点に基づいて共通地図の左上端、及び右下端、又は左下端、及び右上端を配置するように、前記共通地図データを用いて前記縮尺が変更された共通地図を作成し、前記縮尺が変更された共通地図を作成するために用いた原点と同一の原点を用いて、前記図形データそれぞれから、前記縮尺が変更された複数の図形を作成する演算部と、
前記縮尺が変更された共通地図の地図データと、前記縮尺が変更された複数の図形の図形データとを、前記縮尺が変更された複数の図形の前記縮尺が変更された共通地図に対する相対的な位置を表す位置データと記憶する記憶部と、
を備えることを特徴とする地図作成装置。
【請求項９】
共通地図を描画するためのラスタ形式の共通地図データを有するデータファイルを複数の端末に送信することと、
前記共通地図に配置される図形を描画するためのベクタ形式の図形データが付加されたデータファイルを前記複数の端末から受信することと、
前記図形データそれぞれを用いて作成した複数の図形を、前記共通地図データを用いて作成された前記共通地図の縮尺が変更された共通地図と同一の縮尺になるように変更し、前記縮尺が変更された複数の図形を、前記図形が前記共通地図上に配置される相対的な位置を維持するように、前記縮尺が変更された共通地図上に配置することであって、前記縮尺が変更された共通地図は、指定された２点に基づいて共通地図の左上端、及び右下端、又は左下端、及び右上端を配置するように、前記共通地図データを用いて作成され、前記縮尺が変更された共通地図を作成するために用いた原点と同一の原点を用いて、前記図形データそれぞれから、前記縮尺が変更された複数の図形を作成することと、
前記縮尺が変更された共通地図の地図データと、前記縮尺が変更された複数の図形の図形データと、前記縮尺が変更された複数の図形の前記縮尺が変更された共通地図に対する相対的な位置を表す位置データとを記憶することと、
をサーバが実行することを特徴とする地図作成方法。
【請求項１０】
共通地図を描画するためのラスタ形式の共通地図データを有するデータファイルを受信し、前記共通地図上に配置される図形を描画するためのベクタ形式の図形データが付加された前記データファイルを送信する複数の端末と、
前記複数の端末に前記データファイルを送信する送信部と、
前記複数の端末から前記データセットを受信する受信部と、
受信した前記データファイルの前記図形データをそれぞれ用いて作成した複数の図形を、前記共通地図データを用いて作成された前記共通地図の縮尺が変更された共通地図と同一の縮尺になるように変更し、前記縮尺が変更された複数の図形を、前記図形が前記共通地図上に配置される相対的な位置を維持するように、前記縮尺が変更された共通地図上に配置する演算部であって、指定された２点に基づいて共通地図の左上端、及び右下端、又は左下端、及び右上端を配置するように、前記共通地図データを用いて前記縮尺が変更された共通地図を作成し、前記縮尺が変更された共通地図を作成するために用いた原点と同一の原点を用いて、前記図形データそれぞれから、前記縮尺が変更された複数の図形を作成する演算部と、
前記縮尺が変更された共通地図の地図データと、前記縮尺が変更された複数の図形の図形データと、前記縮尺が変更された複数の図形の前記縮尺が変更された共通地図に対する相対的な位置を表す位置データとを記憶する記憶部と、
を有するサーバと
を備えることを特徴とする地図作成システム。
【発明の詳細な説明】
【技術分野】
【０００１】
本発明は、地図作成方法、そのような方法を用いる地図作成装置、地図作成プログラム、及び地図作成システムに関する。
【背景技術】
【０００２】
空港、港湾、浄水場、発電所、及び石油精製施設などの大規模施設において、屋外設備の定期的な整備、維持管理、及び点検が実施される。整備、維持管理、及び点検を実施する場合、施設管理者は、複数の作業予定者から提供される作業予定日報に基づき、時間的、及び空間的に重複する作業の調整を実施する。そして、施設管理者は、その結果をまとめた作業一覧を作成し、監視員、作業予定者、空港であれば管制官などの関係者に、作業一覧を公開するようになりつつある。このときに使用される作業予定日報は、作業内容、作業時間、及び作業場所などの整備、維持管理、及び点検の作業内容を示す種々の属性とともに、作業場所を示す図形が配置された構内地図が描画される。また、公開される作業一覧には、それぞれの作業場所を示す複数の図形が配置された地図が添付される。
【０００３】
また、表計算ソフトウェアを使用して、異なる場所で収集された測定結果などの情報を電子化することが知られている。例えば、特許文献１に示されるように、表計算ソフトウェアにより構成されるスプレッドシートのセルに入力された異なる地区のガス使用量などの情報を、データ収集用のファイルを構成する表計算ソフトウェアのスプレッドシートのセルに自動的に割り当てることによって、様々な情報を整理する作業を効率化できる。
【０００４】
一方、位置、距離、面積、体積、及び方向などの空間的な属性と、人口分布、気温、及び道路名などの他の付加的な属性とを関連付けるシステムであるＧＩＳ（Geographic Information System、地理情報システム）が知られる。ＧＩＳは、レイヤ構造を有するベクタ形式の地図データに種々の属性を包含し、その属性を様々な表示形式で表示することにより、多くの機能を実現する。例えば、ＧＩＳはＧＰＳ（Global Positioning System、全地球的測位システム）を利用した観測位置情報により、カーナビや自局の位置を表すアプリケーションに適用されている場合もあるが、一般的には、地図の表示機能、図形の作成・編集機能、属性の作成・編集機能、検索機能（属性・空間検索）、空間解析機能、主題図作成機能、印刷機能等の様々な機能を装備している。個々の機能は、比較的数多くの高度な処理機能を持ち合わせ、様々な利用ニーズに応えるべくインターフェースを持つ。このように多くの機能を有するＧＩＳを用いて、それぞれの作業予定日報に描画される地図上に配置された図形を描画するためのデータを、作業一覧ファイルに付加するシステムを構成することが考えられる。空港作業用の作業一覧ファイルを構成するためにＧＩＳを使用する場合、種々の情報を有するベクタ形式の地図データが、作業一覧ファイルに添付する平面図を描画するために使用される。空港の平面図を描画するための地図データは、空港周辺道路・河川、及び地形を表す等高線など自然地形に関する情報、滑走路、誘導路、エプロン、芝生帯、及び保安・場周道路などの空港地形に関する情報、空港管理事務所、ターミナルビル、格納庫などの建築物系施設に関する情報、誘導案内灯及び進入灯などの航空灯火系施設に関する情報、ＩＬＳ無線設備、ＡＳＲ／ＳＳＲ等レーダ施設、及びＶＯＲ／ＤＭＥ等の航行を援助する無線系施設に関する情報、並びに滑走路標識、誘導路標識、エプロン標識などの標識系施設に関する情報などの多くの情報を包含する。さらにまた、特許文献２に示されるように、表計算ソフトウェアを使用してＧＩＳ機能を実現しようという試みもなされている。特許文献２では、ＧＩＳ機能を単に表計算ソフトウェアで実現するものであるため、地図データは、レイヤ構造を有するベクタ形式のデータとなっている。このため、特許文献２に開示されるＧＩＳは一般的なＧＩＳと同様、地図データは種々の属性を含み、且つ多量のデータを含むものである。
【先行技術文献】
【特許文献】
【０００５】
【特許文献１】特開２００６−１３３９８０号公報
【特許文献２】特開２００４−１２６２８６号公報
【発明の概要】
【発明が解決しようとする課題】
【０００６】
このように、ＧＩＳは、多機能であるがために、一般的に高価になってしまう問題点がある。また、ＧＩＳは、多数のレイヤ構造に種々の属性を有する地図データに基づき地図を描画するので、多量のデータを処理する必要があるために、処理用のコンピュータも高価になる問題点がある。さらに、ＧＩＳは、地図データが大きくなるので、地図データを処理するためのコンピュータの処理速度が低下する不具合があった。
【０００７】
そこで、本発明は、少ないデータ量で描画される地図を作成する方法を提供することを目的とする。また、地図上に描画された図形やその属性データを収集・集約し、効率的に一元管理することを目的とする。
【課題を解決するための手段】
【０００８】
上記課題を解決するために、本発明に係る地図作成方法は、受信部が、共通地図を描画するためのラスタ形式の共通地図データと、共通地図上に配置される図形を描画するためのベクタ形式の図形データとを有する複数のデータセットを受け取ることと、演算部が、図形データそれぞれを用いて作成した複数の図形を、共通地図データを用いて作成された共通地図の縮尺が変更された共通地図と同一の縮尺になるように変更し、縮尺が変更された複数の図形を、図形が共通地図上に配置される相対的な位置を維持するように、縮尺が変更された共通地図上に配置することと、記憶部が、縮尺が変更された共通地図の地図データと、縮尺が変更された複数の図形の図形データと、縮尺が変更された複数の図形の縮尺が変更された共通地図に対する相対的な位置を表す位置データとを記憶することと、を特徴とする。
【発明の効果】
【０００９】
本発明によれば、ラスタ形式の共通地図データを使用して地図を描画するので、少ないデータ量で地図を作成することが可能となった。また、複数のデータセットから、縮尺が変更された複数の図形を、図形が共通地図上に配置される相対的な位置を維持するように、縮尺が変更された共通地図上に配置するので、複数の図形が配置された地図を簡便に作成することが可能になった。
【図面の簡単な説明】
【００１０】
【図１】本発明に係るシステムの第１の実施形態を示す図である。
【図２】図１に示すシステムの動作フローを示す図である。
【図３】作業予定日報ファイルの入力フォームの一例を示す図である。
【図４Ａ】作業予定日報の一例を示す図である。
【図４Ｂ】作業予定日報の他の例を示す図である。
【図４Ｃ】作業予定日報のさらに他の例を示す図である。
【図５】縮尺が変更された共通地図を作成する処理のフローを示す図である。
【図６】インタフェース画面の一例を示す図である。
【図７】インタフェース画面の他の例を示す図である。
【図８】図形の縮尺を変更する処理のフローを示す図である。
【図９】共通地図の縮尺を変換する方法の一例を説明する図である。
【図１０】作業一覧の一例を示す図である。
【図１１】インタフェース画面のさらに他の例を示す図である。
【図１２】作業予定日報ファイルへの入力フォームを作成する処理のフローを示す図である。
【図１３】本発明に係るシステムの第２実施形態を使用して作成される地図の他の例を示す図である。
【発明を実施するための形態】
【００１１】
以下、本発明に係る地図作成システムの第１の実施形態を、図面を参照しながら説明する。本システムは、空港の整備、維持管理、及び点検の作業内容が入力された複数の作業予定日報ファイルから作業予定を検索して、作業位置を示す図形を共通地図上に配置するとともに作業の属性を表示する作業一覧を作成するためのデータを有する作業一覧ファイルを作成する。共通地図は、作業対象の空港の平面図であり、それぞれの作業予定日報ファイルでは共通する平面図が同一の縮尺で描画され、作業一覧ファイルでは、個々の作業予定日報ファイルに描画された作業位置（図形）が集約描画されるため、その識別を明確にし、視認性を高めるために、一般に共通する平面図が大きな平面図として異なる縮尺で描画される。また、共通地図は、航空写真、手書き地図、又は見取り図などから形成されるラスタ形式のデータである。
【００１２】
図１〜１２を参照して、第１の実施形態について詳細に説明する。
【００１３】
図１は、本発明に係る地図作成システムを示す図である。
【００１４】
地図作成システム１は、空港事務所２の内部に配置されるサーバ１０と、インタネットネットワーク３０を介してサーバ１０に接続される作業予定者用の複数の端末４０ａ、４０ｂ、・・・４０ｎとを有する。具体的には、サーバ１０は、通信装置２６を介してインタネットネットワーク３０と接続される。また、サーバ１０で作成された作業一覧を複数の端末４０ａ、４０ｂ、・・・４０ｎからアクセス可能な状態に記憶するファイル公開サーバ５０が、サーバ１０、及び複数の端末４０ａ、４０ｂ、・・・４０ｎとインタネットネットワーク３０を介して接続される。
【００１５】
空港事務所２には、サーバ１０、及び通信装置２６に加えて、入力装置２０と、表示装置２１と、印刷装置２２と、記憶装置２４とが配置される。これらの装置は、バス回路２８を介して相互に接続される。
【００１６】
サーバ１０は、演算部１２と、演算部１２に所定の機能を実施させるプログラムなどが記憶される記憶部１４と、バス回路２８を介して接続される種々の装置とデータを送受信する通信部１６とを有する。演算部１２は、ＣＰＵ（Central Processing Unit、中央演算処理装置）で構成され、記憶部１４は、ＲＡＭ（Random Access Memory、ランダムアクセスメモリ）、及びＲＯＭ（Read Only Memory、リードオンリーメモリ）などの記憶装置で構成され、通信部１６は、入力装置２０、及び表示装置２１などの周辺機器と、サーバ１０との間でデータ通信が可能なインタフェースを提供する装置で構成される。また、通信部１６は、バス回路２８を介してデータを送信する送信部と、データを受信する受信部とを備えるように構成することも可能である。複数の作業予定日報ファイルが、インタネットネットワーク３０を介して複数の端末４０ａ、４０ｂ、・・・４０ｎから送信されると、サーバ１０は、複数の作業予定日報ファイルを通信部１６で受信し、記憶部１４に記憶する。演算部１２は、本発明に係る地図作成プログラムを実行し、記憶部１４に記憶された複数の作業予定日報に描画される共通地図、及び複数の図形の縮尺を変更して、作業一覧に描画される共通地図、及び複数の図形を作成する。
【００１７】
バス回路２８は、入力装置２０、及び表示装置２１などの周辺機器をサーバ１０に電気的に通信可能なように接続する回路であり、ＬＡＮ（Local Area Network、構内通信網）として形成してもよい。バス回路２８を介してサーバ１０に電気的に接続される入力装置２０は、施設管理者により操作されて、サーバ１０に様々な入力情報を提供する。表示装置２１は、サーバ１０で作成された共通地図、及び図形などの視覚的情報を施設管理者に提供する。入力装置２０は、キーボード、タッチパネルなどで構成され、表示装置２１は、ＬＣＤ（Liquid Crystal Display、液晶ディスプレイ）、ＬＥＤ（Light Emitting Diode、発光ダイオード）、ＥＬ（Electro Luminescence）ディスプレイなどで構成される。また、通信装置２６は、バス回路２８と、インタネットネットワーク３０との間を接続するルータで構成される。
【００１８】
バス回路２８には、印刷装置２２、及び記憶装置２４をさらに接続することができる。印刷装置２２は、作業予定日報、及び作業一覧などを印刷する。
【００１９】
ファイル公開サーバ５０は、サーバ１０で作成された作業一覧を複数の端末４０ａ、４０ｂ、・・・、４０ｎからアクセス可能なように記憶し、端末を介して作業予定者が閲覧できるようする。
【００２０】
サーバ１０にインタネットネットワーク３０を介して接続される複数の端末４０ａ、４０ｂ、・・・、４０ｎそれぞれは、作業予定者によって使用される。端末４０（以下、端末４０ａ、４０ｂ、・・・、４０ｎを、単に端末４０とも記載する）は、処理部、記憶部、入力部、表示部、及びインタネットネットワーク３０と接続可能な通信部を有するコンピュータで構成することができる。
【００２１】
次に、図２を参照して、システム１の動作フォローの概略を以下に説明する。図２は、図１に示すシステムの動作フローを示す図である。
【００２２】
まず、図２に示す動作フローの概略を説明する。図２に示すように、図１に示すシステムにおいて、まずサーバ１０は、共通地図を描画するための共通地図データを包含する作業予定日報ファイルを端末４０に送信する（Ｓ１０１）。サーバ１０から作業予定日報ファイルを受信した端末４０において（Ｓ１０２）、作業予定日報ファイルは、作業予定者によって、共通地図上に描画される図形の図形データ、及び属性のデータが付加される（Ｓ１０３）。作業予定者は、端末４０を使用して、作業予定日報に描画される共通地図上に作業場所を図形として配置するとともに、作業内容、作業日時、及び担当者名などの作業の属性を入力する。その後、端末４０は、共通地図データに加えて図形データなどが付加された作業予定日報ファイルをサーバ１０に送信する（Ｓ１０４）。複数の端末４０はそれぞれ、図形データなどが付加された作業予定日報ファイルをサーバに送信する。端末４０から作業予定日報ファイルを受信したサーバ１０において（Ｓ１０５）、施設管理者は、作業予定日報ファイルの受理を確認し（Ｓ１０６）、その後、サーバ１０は、端末４０に受理確認メールを送信し（Ｓ１０７）、端末４０は、受理確認メールを受信する（Ｓ１０８）。
【００２３】
さらに、サーバ１０は、受信した作業予定日報ファイルに包含されるデータを用いて、縮尺が変更された共通地図、及び図形を作成し、記憶する（Ｓ１０９）。そして、サーバ１０は、縮尺が変更された共通地図、及び図形が描画された作業一覧ファイルをファイル公開サーバ５０に記憶して、作業予定者などの関係者が端末４０から閲覧可能な状態にする（Ｓ１１０）。作業予定者は、端末４０を介して作業一覧を閲覧する（Ｓ１１１）。端末４０それぞれは、インタネットネットワーク３０を介してファイル公開サーバ５０に接続され、ファイル公開サーバ５０に記憶された作業一覧ファイルにアクセス可能である。
【００２４】
次に、図２に記載のシステム１の動作フローの各ステップの詳細を、以下に説明する。
【００２５】
まず、ステップＳ１０１において、サーバ１０は、共通地図を描画するための共通地図データを包含する作業予定日報ファイルを端末４０に送信する。作業予定日報ファイルは、電子メールに添付されて送信されるか、又は端末４０からの受信要求に基づいてダウンロードできる。好適には、作業予定日報における共通地図の相対的な位置、及び縮尺は、施設管理者によって、任意に変更できないよう固定される。これによって、作業予定者によって、作業予定日報における共通地図の相対的な位置、及び縮尺が変更されることが防止される。
【００２６】
次に、ステップＳ１０２において、端末４０は、作業予定日報ファイルをサーバ１０から受信する。受信された作業予定日報ファイルは、端末４０が有する記憶部、又は端末４０に電気的に接続される外部記憶装置などに記憶される。
【００２７】
図３は、端末４０の表示部に表示される作業予定日報ファイルの入力フォームの一例を示す。図３に示すように、作業予定日報ファイルの入力フォーム１００は、作業対象の空港の平面図である共通地図１０１と、作業に関連する様々な属性が入力される複数の属性入力欄１０２とを有する。
【００２８】
作業予定日報ファイルの入力フォーム１００は、表計算ソフトウェアのスプレッドシートを用いて構成することも可能である。この場合、共通地図１０１は、スプレッドシートの所定のセルを原点として配置する。例えば、共通地図１０１は、図３の矢印Ａで示す位置に位置するセルを原点として配置できる。ここで、図３の矢印Ａで示す位置は、スプレッドシートの左上部に位置するセルの左上端部、すなわち、スプレッドシートの左上端である。
【００２９】
共通地図１０１は、ビットマップ、ＪＰＥＧなどのラスタ形式のデータを用いて作成される。共通地図１０１は、多くの属性を保存するレイヤを含まない単なる画像データであるラスタ形式のデータを用いて作成される。したがって、レイヤ構造を採用するＧＩＳによって共通地図を描画する場合に比べて、データ量を小さくすることができる。共通地図１０１をラスタ形式のデータを用いて作成することにより、処理データ量を小さくすることができるため、サーバ１０、及び端末４０に与える動作負荷をＧＩＳに比べて小さくすることが可能になる。また、ラスタ形式のデータは、ベクタ形式のデータよりも一般的に作成が容易である。例えば、ラスタ形式のデータは、イメージスキャナなどの画像走査装置によって、地図を読み取ることにより作成できる。さらに、ラスタ形式のデータは、ベクタ形式のデータよりも改変が容易ではないという利点も有する。
【００３０】
共通地図１０１には、管制塔、及び空港ターミナルビルなど空港に必要な機能を備える建築物１０１ａと、航空機が空港を離着陸するための滑走路１０１ｂと、誘導路１０１ｃとを有し、且つ制限区域境界１０１ｅによって囲まれる空港が描画される。共通地図１０１には、空港に必要な様々な施設が描画される。例えば、建築物１０１ａと、滑走路１０１ｂとの間の領域には、乗員、及び乗客の乗降、貨物の積み下ろし、燃料の補給、並びに簡易な点検整備などのために航空機を駐機させる場所であるエプロン１０１ｄが描画される。なお、地図の上方向を北として表現される一般的な地図とは異なり、空港においては、管理や見易さから、平面図を滑走路が水平方向になるように配置し、空港独自の座標系、「空港座標」によって表現されるのが一般的である。このため、本明細書で空港平面図を表す地図を図示する場合には、空港座標に基づき表現された地図を採用する。
【００３１】
複数の属性入力欄１０２は、作業予定者が予定する作業に関する様々な属性を入力する欄である。図３に示すように、属性は、作業内容、作業日時、及び作業場所など当該作業に関連する様々な情報を含む。後述するように、属性はさらに、配置される図形の形状、色、及びパターンなど作業場所などを示す図形に関連する様々な情報も含む。
【００３２】
複数の属性入力欄１０２は、表計算プログラムのスプレッドシートのセルを利用して構成することが可能である。この場合、複数の属性入力欄に入力される属性は、一般的な表計算ソフトウェアが有するスプレッドシートアプリケーション機能を使用することにより、他のスプレッドシートのセルと関連付けることができる。表計算ソフトウェアを作業予定日報ファイルのアプリケーションソフトウェアとして使用した場合、作業予定日報ファイルは、属性を入力するための他のスプレッドシートを提供できる。例えば、作業予定日報ファイルは、作業予定者が入力すべき入力のみを有する単一のスプレッドシートを作業予定者に提供できる。
【００３３】
なお、上述した作業予定日報ファイルが有するデータを表示する作業予定日報において、共通地図１０１の大きさ、及び位置、並びに複数の属性入力欄１０２の属性の種類、及び位置は、空港ごとに異なることは当然である。
【００３４】
次に、図２のフローに戻って、ステップＳ１０３において、作業予定者は、端末４０を使用して、作業予定日報ファイルの入力フォーム１００に描画される共通地図１０１上に図形を配置するとともに、複数の属性入力欄１０２に属性を入力する。
【００３５】
再び図３を参照して、ステップＳ１０３における作業予定者の操作を具体的に説明する。作業予定者は、共通地図１０１上の適当な位置に、作業場所を示す面、又は線の形状を有する図形を配置することができる。作業予定日報ファイルの入力フォーム１００は、作業予定者が図形を配置するときに使用する配置手段として、ボタン１０３ａ、１０３ｂ、１０４ａ、１０４ｂ、１０５ａ、及び１０５ｂを有する。作業予定者は、これらのボタンをクリックするなどして、所定の図形を共通地図１０１上に配置する。作業予定者は、図形を共通地図１０１上に配置するときには、表計算ソフトウェアのスプレッドシートの表示比率変更機能（拡大・縮小：ズーム機能）によって共通地図１０１を拡大して表示することができる。共通地図１０１を拡大して表示することにより、作業者は、容易に図形を配置することができる。
【００３６】
ボタン１０３ａ、及び１０３ｂは、作業場所を示す面形状を有する図形を共通地図１０１上に配置するためのボタンである。作業予定者がボタン１０３ａをクリックした後に、共通地図１０１上の複数の点をクリックすることによって、面形状の図形の頂点が配置される。作業予定者は、作業場所を示す図形の配置が終了したときに、ボタン１０３ｂをクリックすることにより、各頂点を接続し面形状の図形を作成する。
【００３７】
ボタン１０４ａ、及び１０４ｂは、作業場所を示す線形状を有する図形を共通地図１０１上に配置するためのボタンである。作業予定者がボタン１０４ａをクリックした後に、共通地図１０１上の複数の点をクリックすることによって、線形状の図形が配置される。作業予定者は、作業場所を示す図形の配置が終了したときに、ボタン１０４ｂをクリックする。
【００３８】
ボタン１０５ａ、及び１０５ｂは、空港敷地内での立ち入り経路を示す線形状を有する図形を共通地図１０１上に配置するためのボタンである。作業予定者がボタン１０５ａをクリックした後に、共通地図１０１上の複数の点をクリックすることによって、線形状の図形が配置される。作業予定者は、作業場所を示す図形の配置が終了したときに、ボタン１０５ｂをクリックする。
【００３９】
ボタン１０３ａ、１０３ｂ、１０４ａ、１０４ｂ、１０５ａ、及び１０５ｂを使用して描画される図形は、ベクタ形式のデータとして作成される。作業予定日報ファイルの入力フォーム１００を、表計算ソフトウェアのスプレッドシートを用いて構成する場合では、図形を表す座標の原点は、スプレッドシートの所定のセルにできる。例えば、図形を表す座標の原点は、図３の矢印Ａで示す位置に位置するセルにできる。図３の矢印Ａで示す位置は、スプレッドシートの左上部に位置するセルの左上端部、すなわち、スプレッドシートの左上端である。
【００４０】
また、ボタン１０３ａ、１０３ｂ、１０４ａ、１０４ｂ、１０５ａ、及び１０５ｂを使用して描画される図形はそれぞれ、固有の属性を有する。すなわち、ボタン１０３ａ、１０３ｂ、１０４ａ、１０４ｂ、１０５ａ、及び１０５ｂにより配置される図形は、面、線などの形状、色、及びパターンを有する所定の表示形態を備えるように属性を規定できる。一般に、これらの表示形態は、空港ごとに規定されるものであり、作業予定日報ファイルは、ぞれぞれの図形が適当な属性を有するように規定される。また、ボタン１０３ａ、１０３ｂ、１０４ａ、１０４ｂ、１０５ａ、及び１０５ｂを使用して描画される図形は、所定の領域のみに配置するように制限することができる。例えば、図形は、共通地図１０１上のみに配置可能であり、共通地図１０１が表示される領域を超えて配置される場合は、入力を許可しないよう制限する。
【００４１】
ボタン１０６は、作業予定日報が印刷されるときの形態を表示するためのボタンである。具体的には、図４Ａ、４Ｂ、及び４Ｃに示されるような作業予定日報ファイルが有する共通地図データで描画される共通地図、図形データで描画される図形、及び属性などを有する作業予定日報１１０、１２０、及び１３０などの作業予定日報を表示する。ボタン１０７ａ、及び１０７ｂは、作業予定者が配置した図形を描画するための図形データ、及び属性のデータを保存するか否かを決定するボタンである。なお、このようにして配置される図形は、作業範囲が判別できる程度の精度があればよく、ボタン１０３ａ、１０３ｂ、１０４ａ、１０４ｂ、１０５ａ、及び１０５ｂによっても、作業範囲が判別できる図形を描画することは可能である。しかしながら、好適には、作業予定日報ファイルは、作業範囲を示す種々の図形データを提供できる。この場合、作業予定者は、作業予定日報ファイルから提供される種々の図形データを共通地図１０１上に配置し、形状変更や移動を行うことによって、作業範囲をより的確に規定することができる。作業範囲を示す図形データとして、三角形、及び四辺形など使用頻度が高い図形を提供でき、さらに円形、及び楕円形など作業予定者による入力が難しい図形を提供できる。
【００４２】
図４Ａ、４Ｂ、及び４Ｃは、作業予定日報の種々の例を示す図である。作業予定日報は、作業予定日報ファイルの入力フォーム１００を介して、施工者によって作業予定日報ファイルに入力された作業に関する情報を表示するものである。
【００４３】
図４Ａは、面形状を有する図形１１１ａで示される芝生帯における芝生帯草刈除草作業についての作業予定が記載された作業予定日報１１０を示す。共通地図１０１上には、右肩上がりのハッチがなされた面形状の図形で作業場所を示す図形１１１ａが配置される。また、破線で示される図形で立ち入り経路を示す図形１１１ｂが描画される。上述のように、共通地図１０１を描画するための共通地図データは、ラスタ形式のデータであり、図形１１１ａ、及び１１１ｂを描画するための図形データは、ベクタ形式のデータである。したがって、作業予定日報ファイルは、共通地図１０１を描画するためのラスタ形式の共通地図データと、共通地図上に配置される図形１１１ａ、及び１１１ｂを描画するためのベクタ形式の図形データとを有するデータセットである。なお、共通地図１０１は、実線で囲まれた範囲に配置されるテキストを含むものでもよく、これらのテキストを含まないものでもよい。
【００４４】
図４Ｂは、面形状を有する図形１２１ａで示される誘導路１０１ｃにおける誘導路補修箇所点検についての作業予定が記載された作業予定日報１２０を示す。共通地図１０１上には、右肩上がりのハッチがなされた面形状の図形で作業場所を示す図形１２１ａに加えて、破線で示される図形で立ち入り経路を示す図形１２１ｂが描画される。
【００４５】
図４Ｃは、面形状を有する図形１３１ａで示されるエプロンにおけるエプロン清掃についての作業予定が記載された作業予定日報１３０を示す。共通地図１０１上には、右肩上がりのハッチがなされた面形状の図形で作業場所を示す図形１３１ａに加えて、破線で示される図形で立ち入り経路を示す図形１３１ｂが描画される。
【００４６】
再び、図２のフローに戻って、ステップＳ１０４において、端末４０は、作業予定者によって共通地図上に配置された図形を描画するための図形データ、及び属性が付加された作業予定日報ファイルをサーバ１０に送信する。
【００４７】
次に、ステップＳ１０５において、サーバ１０の通信部１６は、図形データ、及び属性のデータが付加された作業予定日報ファイルを、それぞれの端末４０から受信する。受信された作業予定日報ファイルは、サーバ１０が有する記憶部１４、又はサーバ１０にバス回路２８を介して電気的に接続される記憶装置２４などに記憶される。
【００４８】
次に、ステップＳ１０６において、施設管理者は、複数の端末４０から送信された図形データ、及び属性のデータが付加された作業予定日報ファイルが、サーバ１０に受信されていることを確認する。
【００４９】
次に、ステップＳ１０７において、サーバ１０は、施設管理者の指示に基づき、作業予定日報ファイルが受理されたことを確認するメールを端末４０に送信する。作業予定日報ファイルが表計算ソフトウェアのスプレッドシートのセルを用いて形成される場合には、送信されるメールの表示形式は、作業予定日報ファイルの入力フォーム１００に記載された属性に関連付けられた表示形式にしてもよい。
【００５０】
次に、ステップＳ１０８において、端末４０は、作業予定日報ファイルが受理されたことを確認するメールを、サーバ１０から受信する。
【００５１】
次に、ステップＳ１０９において、サーバ１０は、縮尺が変更された共通地図、及び図形を作成し、記憶部１４に記憶する。
【００５２】
次に、図５を参照して、ステップＳ１０９における処理の詳細を以下に説明する。図５は、縮尺が変更された共通地図、及び図形を作成する処理のフローを示す図である。
【００５３】
まず、ステップＳ２０１において、サーバ１０は、記憶部１４、又は記憶装置２４に記憶された複数の作業予定日報ファイルそれぞれの図形データと、属性のデータとを関連付ける。例えば、サーバ１０は、記憶部１４、又は記憶装置２４に記憶された作業予定日報ファイルごとに識別子を付与し、それぞれの作業予定日報ファイルの図形データ、及び属性のデータを識別子に関連付けることができる。作業予定日報ファイルごとに識別子を付与することより、複数の作業ファイルが存在する場合に、それぞれの作業ファイルと、それぞれの作業ファイルに包含される図形データ、及び属性のデータとの関係を明確化することができる。
【００５４】
ステップ２０１は、施設管理者が、図６に示すインタフェース画面２００のボタン２０１をクリックすることにより実行される。
【００５５】
次に、ステップＳ２０２において、施設管理者は、公開する日付、及び運用時間帯を指定する。この日付、及び時間帯は、作業予定日報ファイルの入力フォーム１００の複数の属性入力欄１０２の作業日時に入力された情報に基づくことができる。施設管理者は、図６に示すインタフェース画面２００のボタン２０２をクリックすることにより、図７に示す時間帯検索メニュー３００を表示することができる。施設管理者は、図７に示す時間帯検索メニュー３００において、ボタン３０１をクリックして、日付を決定した後に、ボタン３０２ａ、３０２ｂ、又は３０２ｃのいずれか１つのボタンをクリックすることにより運用時間帯を決定する。
【００５６】
図７は、２０１０年９月１日の日付で、７時から１８時までの運用時間帯を指定した場合の作業一覧表３１０を示す。ここで、作業一覧表３１０の上段から順に図４Ａ、４Ｂ、及び４Ｃの属性が入力された複数の属性入力欄１１２、１２２、及び１３２に入力された属性が表示され、それぞれの識別子が管理番号として表示される。
【００５７】
次に、ステップＳ２０３において、サーバ１０は、作業予定日報に描画される共通地図から、作業一覧に描画するための、縮尺が変更された共通地図を作成する。縮尺が変更された共通地図は、作業予定日報に描画される共通地図の縮尺と、作業一覧に描画される共通地図の縮尺との比率に基づいて作成される。縮尺が変更された共通地図を描画するための共通地図データが作成されていて、サーバ１０の記憶部１４に記憶されている場合は、記憶された共通地図データを用いて、縮尺が変更された共通地図を作業一覧に描画することができる。一方、縮尺が変更された共通地図を描画するための共通地図データがサーバ１０の記憶部１４に記憶されていない場合は、縮尺が変更された共通地図データを作成して、縮尺が変更された共通地図を作業一覧に描画する。
【００５８】
次に、ステップＳ２０４において、サーバ１０の演算部１２は、記憶部１４に記憶される図形データを用いて作成した複数の図形を、縮尺が変更された共通地図と同一の縮尺になるように変更し、縮尺が変更される前の図形が作業予定日報に描画される共通地図上に配置される相対的な位置を維持するように、座標をアフィン変換する。
【００５９】
次に、図８を参照して、ステップＳ２０４の処理の詳細をさらに以下に説明する。
【００６０】
図８は、図形の縮尺を変更する処理のフローを示す図である。
【００６１】
まず、ステップＳ３０１において、サーバ１０の演算部１２は、作業予定日報１１０、１２０、及び１３０に描画される共通地図１０１上の原点、及び作業一覧４００に描画される共通地図４０１上の原点を算出する。
【００６２】
図９を参照して、スプレッドシート７００に共通地図７０１を配置する例を参照して、共通地図上の原点の算出方法の一例を説明する。図９において、スプレッドシート７００に描画される共通地図７０１の描画位置は、表計算ソフトウェアのスプレッドシート７００のセルによって規定される。共通地図上の原点の算出方法の一例について説明する前に、表計算ソフトウェアのスプレッドシート７００のセルによって共通地図７０１の描画位置を規定する方法について簡単に説明する。
【００６３】
まず、施設管理者は、共通地図７０１の左上端、及び右下端の２点、又は左下端、及び右上端の２点のセルを指定する。図９では、右肩上りのハッチ７００ａがなされている共通地図７０１の左上端のセルＢ３、及び右肩上りのハッチ７００ｂがなされている共通地図７０１の右下端のセルＬ２３が指定される。サーバ１０の演算部１２は、破線で示した施設管理者が規定した範囲内に共通地図７０１が配置されるように、共通地図の配置、及び縮尺を調整する。具体的には、サーバ１０の演算部１２は、共通地図７０１の左上端を規定するセルＢ３、及び共通地図７０１の右下端を規定するセルＬ２３の中点と、共通地図７０１の重心とが一致するように、共通地図７０１を配置する。次いでサーバ１０の演算部１２は、共通地図７０１の長辺、及び短辺のいずれもが破線で示す範囲に包含されるように、共通地図７０１の縮尺を変更する。ここでは、横方向に延伸する共通地図７０１の長辺は、施設管理者が規定した範囲を示す破線に接する一方、縦方向に延伸する共通実７０１の短辺は、施設管理者が規定した範囲を示す破線とは接していない。
【００６４】
このように表計算ソフトウェアのスプレッドシート７００のセルによって共通地図の描画位置が規定される場合には、サーバ１０の演算部１２は、施設管理者が指定したセル間の中点の座標と、共通地図７０１の長辺、及び短辺の長さとから、共通地図７０１を形成する長方形の４つの端部のいずれか１つである共通地図７０１上の原点の座標を算出する。図９に示すように、スプレッドシート７００の原点が矢印Ｃで示され、座標のＸ軸プラス方向が列番号のアルファベット順の方向であり、座標のＹ軸のプラス方向が行番号の数字が増加する方向であり、且つ矢印Ｄで示される共通地図７０１の左上端が共通地図７０１上の原点である場合について具体的に説明する。この場合、共通地図７０１上の原点ＤのＸ座標は、セルＢ３、及びＬ２３のＸ座標の中点から、共通地図７０１の長辺の半分の長さを減じた値となる。また、共通地図７０１上の原点ＤのＹ座標は、セルＢ３、及びＬ２３のＸ座標の中点から、共通地図７０１の短辺の半分の長さを減じた値となる。なお、図９では、セルＢ３、及びＬ２３の中心点をそれぞれのセルの座標として記載しているが、それぞれのセルの左上端、又は右下端をそれぞれのセルの座標として規定してもよい。
【００６５】
次に、図８に戻って、ステップＳ３０２において、サーバ１０の演算部１２は、複数の作業予定日報１１０、１２０、及び１３０にそれぞれ描画された図形の座標を共通地図１０１上の座標に変換する。具体的には、それぞれの図形の座標から、ステップＳ３０１で算出された作業予定日報に描画される共通地図１０１上の原点の座標を減ずることによって、それぞれの図形の座標が変換される。
【００６６】
次に、ステップＳ３０３において、サーバ１０の演算部１２は、作業予定日報に描画される共通地図１０１の縮尺と、作業一覧４００に描画される共通地図４０１の縮尺との比率を算出する。具体的には、記憶部１４に記憶される双方の共通地図の縮尺から、その比率を算出する。
【００６７】
次に、ステップＳ３０４において、サーバ１０の演算部１２は、共通地図４０１上の原点を基点として、それぞれの図形の縮尺を変換する。具体的には、ステップＳ３０２で算出したそれぞれの図形の座標に、ステップＳ３０３で算出した縮尺比を乗じることによって、図形の座標が変換される。
【００６８】
次に、ステップＳ３０５において、サーバ１０の演算部１２は、それぞれの図形の原点を作業一覧４００の原点に変換する。具体的には、ステップ３０４において算出した図形の座標に、作業一覧４００に描画される共通地図４０１の原点の座標を加算することによって、図形の座標が変換される。
【００６９】
このように、ステップＳ３０４、及び３０５の処理により、作業予定日報１１０、１２０、及び１３０に描画されていた図形１１１、１２１、及び１３１はそれぞれ、作業一覧４００に描画される図形４１１、４２１、及び４３１にアフィン変換される。
【００７０】
次に、ステップＳ３０６において、サーバ１０の演算部１２は、縮尺が変更された共通地図４０１を作業一覧４００に配置する。
【００７１】
次に、ステップＳ３０７において、サーバ１０の演算部１２は、縮尺が変更された図形１１１、１２１、及び１３１を作業一覧４００に配置する。
【００７２】
そして、ステップＳ３０７において、サーバ１０の記憶部１４は、縮尺が変更された共通地図４０１を描画するための共通地図データ、縮尺が変更された図形１１１、１２１、及び１３１を描画するための図形データ、並びに縮尺が変更された図形１１１、１２１、及び１３１の、縮尺が変更された共通地図４０１に対する相対的な位置を表す位置データを記憶部１４に記憶する。サーバ１０は、これらの共通地図データ、図形データ、及び位置データを、サーバ１０の記憶部１４とともに、サーバ１０とバス回路２８を介して電気的に接続される記憶装置２４に記憶することもできる。
【００７３】
このように、それぞれの図形の縮尺を変更するときに、共通地図と、それぞれの図形とが同一の原点を用いることにより、図形の縮尺の変更が容易になる。
【００７４】
再び、図５のフローに戻って、ステップＳ２０５において、サーバ１０は、作業一覧ファイルを作成し、記憶部１４に記憶する。作業一覧ファイルは、縮尺が変更された共通地図４０１を描画するための共通地図データ、縮尺が変更されたぞれぞれの図形４１１、４２１、及び４３１の図形データ、並びにそれぞれの図形に関係付けられた属性を含む。
【００７５】
ここで、図１０に示す作業一覧４００について、説明する。
【００７６】
作業一覧４００は、共通地図４０１と、共通地図４０１上に配置される複数の図形４１１ａ、４１１ｂ、４２１ａ、４２１ｂ、４３１ａ、及び４３１ｂと、複数の図形にそれぞれ関係付けられる属性を表示する複数の属性表示欄４０２とを有する。
【００７７】
共通地図４０１は、作業予定日報１１０、１２０、及び１３０に描画された共通地図１０１をアフィン変換したものである。すなわち、共通地図４０１は、共通地図１０１の座標を移動した上に、その縮尺を変更したものである。
【００７８】
図形４１１ａ、及び４１１ｂは、作業予定日報１１０に描画された図形１１１ａ、及び１１１ｂをそれぞれ、アフィン変換したものである。すなわち、図形４１１ａ、及び４１１ｂはそれぞれ、作業予定日報１１０において共通地図１０１上に図形１１１ａ、及び１１１ｂが配置される相対的な位置を維持するように、共通地図４０１上に共通地図４０１の縮尺で配置したものである。
【００７９】
図形４２１ａ、及び４２１ｂ、並びに４３１ａ、及び４３１ｂは、作業予定日報１２０、及び１３０に描画された図形１２１ａ、及び１２１ｂ、並びに１３１ａ、及び１３１ｂをそれぞれ、アフィン変換した上で、表示形態を変更したものである。すなわち、図形１２１ａ、及び１３１ａはそれぞれ、右肩上りのハッチがなされているが、図形４２１ａは、右肩下がりのハッチに、図形４３１ａは、上下方向のハッチにそれぞれ変更されている。同様に、図形１２１ｂ、及び１３１ｂはそれぞれ、破線で示されているが、図形４２１ｂは、一点鎖線に、図形４３１ｂは、二点鎖線にそれぞれ変更されている。これは、作業予定日報１１０、１２０、及び１３０においては、サーバ１０は、図形の表示形態が空港ごとに規定される表示形態で描画されるように属性が決定されるのに対し、作業一覧４００においては、サーバ１０が、共通地図上に配置されるそれぞれの図形を明確に区分するために、属性を相違させるためである。
【００８０】
さらに図形４１１ａ、４２１ａ、及び４３１ａは、図形の重心にそれぞれの作業予定日報１１０、１２０、及び１３０に対応する識別子が有する情報が表示される。これによって、それぞれの図形と、それぞれの図形に関連付けられる属性の表示との関連がより明確になる。
【００８１】
複数の属性表示欄４０２には、作業予定日報１１０、１２０、及び１３０に記載された属性が表示されるとともに、対応する識別子が有する情報と、対応する図形の表示形態と同一の表示形態を有する図形とが示される。なお、複数の属性表示欄４０２に表示される「中止」欄は、降雨などで作業が中止になった場合に、施設管理者が、該当する作業が中止になったことを明確にするために、属性を変更するための欄である。
【００８２】
再び、図２のフローに戻って、ステップＳ１１０において、サーバ１０は、ステップＳ１０９で記憶部１４に記憶された作業一覧ファイルを、インタネットネットワーク３０を介してファイル公開サーバ５０に送信する。作業一覧ファイルを受信したファイル公開サーバ５０は、インタネットネットワーク３０を介して接続される複数の端末４０から作業一覧ファイルがアクセス可能なように作業一覧ファイルを記憶する。この結果、縮尺が変更された共通地図、及び図形が記載された作業一覧が、端末４０から閲覧可能な状態になる。なお、サーバ１０は、複数の端末４０から作業一覧が閲覧可能なように、記憶部１４、又はバス回路２８を介して接続される記憶装置２４に作業一覧ファイルを記憶することも可能である。
【００８３】
そして、ステップＳ１１１において、作業予定者は、端末４０を介して作業一覧を閲覧する。具体的には、作業者によって、端末４０は、インタネットネットワーク３０を介してファイル公開サーバ５０にアクセス可能なように記憶された作業一覧ファイルにアクセスする。又は、端末４０は、ファイル公開サーバ５０に受信要求を送信し、受信要求を受信したファイル公開サーバ５０から送信される作業一覧ファイルを受信する。さらに端末４０が印刷部を備える場合は、端末４０は、作業一覧を印刷部で印刷することも可能である。
【００８４】
以上で図２のフローの説明を終了する。なお、図２のフローでは、作業予定日報における共通地図１０１の相対的な位置、及び縮尺は、施設管理者によって固定されていた。しかしながら、サーバ１０の演算部１２が、共通地図１０１の作業予定日報上の座標データに基づいて、縮尺が変更された共通地図４０１を作成できる場合には、共通地図１０１は、施設管理者によって固定される必要はない。
【００８５】
次に、図１１、及び１２を参照して、本発明に係る地図作成システム１が有する、作業予定日報、及び作業一覧を作成する機能について説明する。
【００８６】
図１１は、作業予定日報、及び作業一覧などを作成するためのインタフェース画面であるメンテナンスメニュー画面５００を示す。メンテナンスメニュー画面５００は、施設管理者が図６に示すメインメニュー画面２００のボタン２０６をクリックすることにより表示される。図１１に示すように、メンテナンスメニュー画面５００は複数のボタン５０１〜５１３を有する。ボタン５０１は、サーバ１０の記憶部１４の所定の領域に蓄積された不要なデータを削除するボタンである。ボタン５０２は、図７に示す時間帯検索メニュー３００の検索条件を規定するボタンである。ボタン５０３は、作業予定日報ファイルなどに記憶される属性と、表計算ソフトウェアのスプレッドシートのセルとを関係付けし、且つ属性を示す情報の型（テキスト、日付型、及び数値型など）、及び表示形態（オプションボタン、又はチェックボックスなど）を設定するボタンである。ボタン５０４は、作業予定日報などに表示される共通地図を描画するための共通地図データの指定し、かつ表計算ソフトウェアのスプレッドシートのセル番号で、共通地図を配置する配置位置を指定するボタンである。ボタン５０５は、作業予定日報ファイルなどの作成される各種ファイルを格納するフォルダを規定するボタンである。ボタン５０６は、作業予定日報のレイアウトを編集するボタンである。ボタン５０７は、作業予定日報ファイルを形成する表計算ソフトウェアに新たなスプレッドシートを生成するために、属性のセル定義と、レイアウトの編集結果とを合致させるボタンである。ボタン５０８は、作業予定日報ファイルに新たに生成されたスプレッドシートシートのレイアウトを確認し、編集するボタンである。ボタン５０９は、作業予定者が記載する作業予定日報ファイルを形成するスプレッドシートのレイアウトを編集するボタンである。ボタン５１０は、端末４０から受信した作業予定日報ファイルが有するデータに基づいて、受理確認メール用のスプレッドシートをレイアウトし、編集するボタンである。ボタン５１１は、新たな作業予定日報を作成するボタンである。ボタン５１２は、公開用の作業一覧をレイアウトし、編集するボタンである。ボタン５１３は、業務用の作業一覧をレイアウトし、編集するボタンである。
【００８７】
図１２を参照して、メンテナンスメニュー画面５００によって作業予定日報を作成する処理のフローを説明する。
【００８８】
まず、ステップＳ４０１において、施設管理者は、ボタン５０６をクリックして、作業予定日報の属性の配置、及び罫線の形式など作業予定日報のレイアウトの編集を開始する。作業予定日報のレイアウトの編集が終了した後、必要に応じてボタン５０９、及び５１０をクリックして、作業予定者が入力する入力用スプレッドシートのレイアウト、及び受理確認メール用のスプレッドシートのレイアウトを編集する。
【００８９】
次に、ステップＳ４０２において、施設管理者は、ボタン５０３をクリックして、作業予定日報にレイアウトした属性に関する属性定義、形式定義、作業一覧ファイルなどとの入出力セル位置定義を規定する。併せて、選択／チェック式ボタンの設定を規定する。
【００９０】
次に、ステップＳ４０３において、施設管理者は、ボタン５０４をクリックして、共通地図を描画するために使用する共通地図データが記憶されるフォルダに存在する画像ファイルを読み込むとともに、作業予定日報、及び作業一覧に描画される図形の属性（色／柄／透過度など）を規定する。また、作業予定日報ファイルが、受理返信文作成用のスプレッドシートなど複数のスプレッドシートを有する場合は、スプレッドシート間の関連付けを規定する。
【００９１】
次に、ステップＳ４０４において、施設管理者は、ボタン５０７をクリックして、ステップＳ４０１〜４０３で編集、又は規定された情報を連携させるためのデータを規定するセル連携シートを作成する。
【００９２】
次に、ステップＳ４０５において、施設管理者は、ボタン５０８をクリックして、作業予定日報の属性入力欄、文字・数値の表示形態、入力支援インタフェース、及び選択／チェックボックスボタン等をステップＳ４０２で規定されたように配置するとともに、最終的なレイアウトを編集し、確認を行う。
【００９３】
そして、ステップＳ４０６において、施設管理者は、ボタン５１１をクリックして、作業予定日報を作成する。
【００９４】
このように施設管理者は、本発明に係るシステムを使用して、空港ごとにカスタマイズされた作業予定日報を作成できる。
【００９５】
図１〜１２を参照して、空港の整備、維持管理、及び点検の作業内容を示す複数の作業予定日報ファイルから作業予定を検索して、作業位置を示す図形を共通地図上に配置するとともに作業の属性を表示する作業一覧を表示するためのデータを有する作業一覧ファイルを作成するシステムの第１の実施形態を説明してきた。しかしながら、本発明に係るシステムは、空港、港湾、浄水場、発電所、及び石油精製施設などの大規模施設の整備、維持管理、及び点検における作業一覧ファイルの作成のみならず、他の用途にも使用できることは、当然である。例えば、本発明に係るシステムは、学校区内の様々な情報の収集、交通信号設備の取り付けなど地方公共団体が設置する様々な設備の設置情報の収集、及びマーケティングでの簡便な情報収集などにおいて共通地図を使用するシステムに使用できる。
【００９６】
次に、図１３を参照して、本発明に係るシステムの第２の実施形態を説明する。図１３は、本発明に係るシステムを使用して作成される動植物生息情報を表す情報集計ファイル６００を示す。情報集計ファイル６００は、ある河川周辺区域において、小学生、及び周辺住民などの情報提供者に配布した回答票に記載された図形、及び属性を集計したものである。情報提供者は、共通地図、及び属性入力欄を有する回答票に、動植物を発見した位置を示す図形を配置し、発見した動植物に関連する属性を入力する。サーバは、情報提供者が配置した図形を描画する図形データ、及び属性のデータを受け取る。そして、サーバは、受け取った図形データをそれぞれ用いて作成した複数の図形を、回答票の共通地図データを用いて作成された共通地図の縮尺が変更された共通地図６０１と同一の縮尺になるように変更し、縮尺が変更された図形を、縮尺が変更される前の図形がそれぞれの回答票の共通地図上に配置される相対的な位置を維持するように、縮尺が変更された共通地図上に配置する。また、サーバは、識別子によりそれぞれの図形に関連付けられた属性を複数の属性表示欄６０１に表示する。
【００９７】
例えば、図形６１１ａは、識別子１が付与された回答票に記載された動植物発見箇所を示す図形であり、発見者が山田太郎である行の属性に関連付けられる。また、図形６１１ｂは、識別子１が付与された回答票に記載された発見箇所への経路を示す図形である。
【符号の説明】
【００９８】
１    地図作成システム
２    空港事務所
１０    サーバ
１２    演算部
１４    記憶部
１６    通信部
２０    入力装置
２１    表示装置
２２    印刷装置
２４    記憶装置
２６    通信装置
２８    バス回路
３０    インタネット
４０ａ、４０ｂ、４０ｎ    端末
５０    ファイル公開サーバ
１００    作業予定日報ファイルの入力フォーム
１０１    共通地図
１０１ａ、４０１ａ    建築物
１０１ｂ、４０１ｂ    滑走路
１０２    複数の属性入力欄
１１０、１２０、１３０    作業予定日報
１１１、１２１、１３１    属性情報が記載された属性領域
１１１ａ、１２１ａ、１３１ａ、４１１ａ、４２１ａ、４３１ａ、    作業場所を示す面形状の図形
１１１ｂ、１２１ｂ、１３１ｂ、４１１ｂ、４２１ｂ、４３１ｂ    立ち入り経路を示す線形状の図形
１１２、１２２、１３２    属性が入力された複数の属性入力欄
２００    メインメニュー
３００    時間帯検索メニュー
４００    作業一覧
４０１    縮尺が変更された共通地図
４０２    複数の属性表示欄
５００    メンテナンスメニュー
６００    情報集計ファイル
【要約】
【課題】少ないデータ量で描画される地図を作成する方法を提供することを目的とする。
【解決手段】本発明に係る地図作成方法は、共通地図101を描画するためのラスタ形式の共通地図データと、共通地図上に配置される図形111、121、及び131を描画するためのベクタ形式の図形データとを有する複数のデータセット110、120、及び130を受け取ることと、図形データそれぞれを用いて、共通地図データを用いて作成された共通地図の縮尺が変更された共通地図401と同一の縮尺に変更された図形411、421、及び431を作成して、縮尺が変更された図形を、図形が共通地図上に配置される相対的な位置を維持するように、縮尺が変更された共通地図上に配置することと、縮尺が変更された共通地図の地図データと、縮尺が変更された図形の図形データと、縮尺が変更された図形の縮尺が変更された共通地図に対する相対的な位置を表す位置データとを記憶することとを有する。
【選択図】図８【図１】
0004812896.tif 000002
【図２】
0004812896.tif 000003
【図３】
0004812896.tif 000004
【図４Ａ】
0004812896.tif 000005
【図４Ｂ】
0004812896.tif 000006
【図４Ｃ】
0004812896.tif 000007
【図５】
0004812896.tif 000008
【図６】
0004812896.tif 000009
【図７】
0004812896.tif 000010
【図８】
0004812896.tif 000011
【図９】
0004812896.tif 000012
【図１０】
0004812896.tif 000013
【図１１】
0004812896.tif 000014
【図１２】
0004812896.tif 000015
【図１３】
0004812896.tif 000016